(57)【特許請求の範囲】
【請求項１】
グリップが装着されるクラブシャフトの後端部を該クラブシャフトが先端側を下向きにして鉛直方向となるように固定し、前記クラブシャフトの先端部に、該クラブシャフトの中心軸と直交する方向に突設された突起の該中心軸から所定の距離（Ｌ）離れた位置に、重量体を吊り下げて装着されるクラブヘッドの重心距離（ｍ）とインパクト時の遠心力（Ａ）との積（（ｍ）×（Ａ））に対する曲げモーメント（Ａ）を加えることにより、前記クラブシャフトの先端部の撓み角（α）を測定することを特徴とするゴルフクラブシャフトの撓み角測定方法。
【請求項２】
前記曲げモーメントが、クラブヘッドの重心距離（ｍ）とインパクト時の遠心力（Ａ）との積（（ｍ）×（Ａ））の値に相当する請求項１に記載のゴルフクラブシャフトの撓み角測定方法。
【請求項３】
前記曲げモーメントを一定の比率で増減した請求項１または請求項２に記載のゴルフクラブシャフトの撓み角測定方法。
【請求項４】
請求項１〜３のいずれか１項で測定された撓み角（α）の値を利用してゴルフクラブを分類表示するゴルフクラブの表示方法。
【請求項５】
前記撓み角の値をクラブヘッドのロフト角に加算される値として表示し、その表示された値に対応してゴルフクラブを分類表示する請求項４に記載のゴルフクラブの表示方法。
【請求項６】
前記撓み角の値をゴルフボールの上がり易さの目安として相対的に表示し、その表示に対応してゴルフクラブを分類表示する請求項４に記載のゴルフクラブの表示方法。
【発明の詳細な説明】
【０００１】
【発明の属する技術分野】
本発明は、ゴルフクラブシャフトの撓み角測定方法及びゴルフクラブの表示方法に関し、更に詳しくは、ゴルフボールの上がり易さの目安となる本質的な特性としての撓み角を得るようにしたゴルフクラブシャフトの撓み角測定方法及びゴルフクラブの表示方法に関する。
【０００２】
【従来の技術】
ゴルフクラブのシャフトの特性を表す項目の一つに、キックポイントと呼ばれるものがある。このキックポイントは、ベントポイントや調子などとも呼ばれるものである。そのキックポイントは、ゴルフクラブをスウィングした際にシャフトがどのような変形、即ち撓りをするかの目安となる特性であると言われ、この特性を参考にしてゴルファーが、ゴルフクラブの弾道の高さ（ボールの上がり易さ）やフィーリングと言われる官能的な性質を判断し、ゴルフクラブの選択を行うようにしている。
【０００３】
従来、上述したキックポイントの測定方法としては、例えば、図７〜９に示すような３通りの方法が一般によく知られている。
図７は、クラブシャフト１１を水平にしてグリップが装着されるクラブシャフト１１の後端部を片持ち支持し、先端部に重量体Ｘを吊り下げ、その時のクラブシャフト１１の曲率が最大となる点Ｋをキックポイントとするものである。
【０００４】
図８は、上記のようにクラブシャフト１１の後端部を片持ち支持し、先端部に荷重Ｘ１を負荷した時の撓み量δ1 （図８（ａ））と、クラブシャフト１１の先端部を片持ち支持し、後端部に同じ荷重Ｘ２を負荷した時の撓み量δ2 （図８（ｂ））をそれぞれ求め、その比からキックポイントを計算する。
図９は、クラブシャフト１１の先端を当て止めの状態にし、後端から所定の力Ｆで押圧した時に弓なりに変形したシャフト１１の最高点Ｋをキックポイントとするものである。
【０００５】
しかし、上述したいずれのキックポイントの測定方法も、シャフト単体での静特性を測定するものであり、実際にゴルファーが使用する時には、シャフトの先端にクラブヘッドがあり、またスウィング条件も加わるにもかかわらず、それらの考慮が全くなされておらず、実際のインパクト時に生じるシャフトの曲げモーメントを考慮したものとは言い難い。従って、上記のようにクラブシャフト１１を撓ませて測定したキックポイントは、ボールの上がり易さの目安となる特性とは本質的になり得ないという問題があった。
【０００６】
【発明が解決しようとする課題】
本発明の目的は、実際のインパクト時に生じるシャフトの曲げモーメントに対応した、ゴルフボールの上がり易さの目安となる本質的な特性としての撓み角を得ることが可能なゴルフクラブシャフトの撓み角測定方法及びゴルフクラブの表示方法を提供することにある。
【０００７】
【課題を解決するための手段】
上記目的を達成する本発明のゴルフクラブシャフトの撓み角測定方法は、グリップが装着されるクラブシャフトの後端部を該クラブシャフトが先端側を下向きにして鉛直方向となるように固定し、前記クラブシャフトの先端部に、該クラブシャフトの中心軸と直交する方向に突設された突起の該中心軸から所定の距離（Ｌ）離れた位置に、重量体を吊り下げて装着されるクラブヘッドの重心距離（ｍ）とインパクト時の遠心力（Ａ）との積（（ｍ）×（Ａ））に対する曲げモーメント（Ａ）を加えることにより、前記クラブシャフトの先端部の撓み角（α）を測定することを要旨とするものである。
【０００８】
また、本発明のゴルフクラブの表示方法は、上記測定方法で測定された撓み角の値を利用してゴルフクラブを分類表示することを要旨とするものである。
このように先端側を下向きにして鉛直方向となるようにしてクラブシャフトの後端部を固定し、その先端部に装着されるクラブヘッドの重心距離とインパクト時の遠心力との積に対応する曲げモーメントを加えてシャフト先端部の撓み角を測定することにより、インパクト時にシャフト先端部に作用する実際の曲げモーメントを加えた状態でクラブシャフトを撓ませることができるので、ゴルフボールの上がり易さの目安となる本質的な特性としての撓み角を得ることが可能になる。
【０００９】
また、それを利用してゴルフクラブを分類表示することにより、ゴルファーが自己の能力に見合ったゴルフボールの上がり易さをもつゴルフクラブを選ぶことが容易になる。
【００１０】
【発明の実施の形態】
以下、本発明の構成について添付の図面を参照しながら詳細に説明する。図１〜３は本発明のゴルフクラブシャフトの撓み角測定方法を示し、１はクラブシャフト、２は重量体３を取り付ける測定用治具である。この測定用治具２は、クラブシャフト１の先端部１Ａに取り付けられた時、クラブシャフト１の中心軸Ｏと直交する方向に突設された棒状の突起２ａを備えている。この突起２ａには、該突起２ａの長手方向に往復移動可能な吊り下げ部２ｂが係合し、この吊り下げ部２ｂに重量体３が吊り糸４を介して吊り下げられるようになっている。クラブシャフト１におけるＹは、実際に使用されるクラブシャフト１の全長である。
【００１１】
本発明の測定方法によれば、先ず、グリップが装着されるクラブシャフト１の後端部１Ｂをクラブシャフト１が先端側を下向きにして鉛直方向となるようにして固定部５に固定する。この時の固定長さＺとしては、１００〜２００mm、好ましくは１５０〜２００mmにすることができる。次いで、測定用治具２をクラブシャフト１の先端部１Ａに装着し、クラブシャフト１の中心軸Ｏと直交する方向（水平方向）に突出する突起２ａに沿って吊り下げ部２ｂを移動させ、その位置（中心軸Ｏから吊り下げ部３ｂに垂下された吊り糸４までの距離Ｌ）を、図２に示すクラブヘッド６の重心距離ｍと同じ距離にする。なお、ここで言う重心距離ｍとは、クラブヘッド６のフェース面６ａを飛球方向Ｓに合わせたときに、クラブシャフト１の中心軸Ｏを含み、飛球方向Ｓと垂直な面Ｔとヘッド重心Ｇとの最短距離である。
【００１２】
次いで、吊り糸４に重量体３を取り付ける。この重量体３の重量は、インパクト時の遠心力Ａに相当する。この遠心力Ａは、ヘッド質量Ｍ (kg) 、ヘッドスピードＶ(m/sec.)、ゴルファーの肩からヘッド重心までの距離であるヘッド回転半径Ｒ（ｍ）とすると、Ａ＝ＭＶ2 ／Ｒで求められる。例えば、４４インチのクラブシャフトを使用すると、ヘッド回転半径Ｒは略１．５ｍ（インパクト時には個人差が僅かである）になり、そのクラブシャフトに重量Ｍが０．２kgf のクラブヘッドを取り付け（一般に、作製された各クラブシャフトには取り付けられるクラブヘッドが予め決められている）、それをヘッドスピードＶが４０m/sec.のゴルファー用とすれば、遠心力Ａは約２１．７kgとなる。従って、重量体３には２１．７kgf の重量を有するものを使用する。
【００１３】
重量体３が取り付けられると、クラブシャフト１の先端１Ａに、装着されるクラブヘッド６の重心距離ｍとインパクト時の遠心力Ａとの積となる曲げモーメントが加わり、クラブシャフト１は、図３に示すように撓み変形する。その時の突起２ａが図１の状態から変化した角度θ（°）を測定する。この角度θは、クラブシャフト１の先端部の撓み角αに相当し、角度θの測定によりクラブシャフト１の先端部の撓み角αが測定される。
【００１４】
本発明者らは、従来のキックポイントではボールの上がり易さの目安となる特性とは本質的になり得ない点について、鋭意研究した結果、クラブシャフトの先端部に装着されるクラブヘッドの重心距離とインパクト時の遠心力とがボールの上がり易さに多いに関係あることがわかったのである。
即ち、インパクト時のクラブシャフトの変形量に応じてゴルフボールの弾道の高さが変化する。換言すれば、弾道高さはシャフト先端部の撓み角度に大きな影響を受けるのである。そこで、トップの位置からインパクトまでのスウィング中に、クラブシャフトの先端部に働くシャフト軸方向の力（遠心力）とシャフト軸に直交する進行方向の力（慣性力）とを調べたところ、図４に示すように、慣性力（点線のグラフ）はインパクト時には殆ど０であり、遠心力（実線のグラフ）のみが大きく作用していることが判明した。なお、図４における荷重の−は逆方向に上記力が作用したことを示す。また、荷重の０軸に対して垂直方向の矢印は、その点における遠心力の大きさ、０軸に沿った矢印は、慣性力の大きさを示す。
【００１５】
しかも、シャフト先端部には、クラブヘッドが装着されており、そのヘッド重心Ｇは図２に示すようにクラブシャフト１から離れた位置にある。従って、シャフト先端には、そのクラブヘッドの重心距離ｍと遠心力Ａの積からなる曲げモーメントが作用しており、この曲げモーメントによりクラブシャフトの先端部が撓むことが分かったのである。
【００１６】
そこで、本発明では、先端側を下向きにして鉛直方向に吊設されたクラブシャフト１の先端部１Ａに、装着されるクラブヘッドの重心距離ｍとインパクト時の遠心力Ａとの積からなる曲げモーメントを上記のようにして加えることにより、クラブシャフト１の先端部１Ａの撓み角を測定するようにしたのである。これにより、実際のインパクトの際に発生するクラブシャフトの曲げモーメントに応じた、ゴルフボールの上がり易さの目安となる本質的な特性としての撓み角を得ることができる。
【００１７】
本発明のゴルフクラブの表示方法は、上記のように測定されたクラブシャフト１の撓み角を利用し、そのクラブシャフト１の後端部１Ｂにグリップを装着し、先端部１Ａに上述した測定において用いられた条件を有するクラブヘッドを取り付けたゴルフクラブを分類表示するものである。その表示方法としては、上述した撓み角を利用するものであれば、いずれの表示方法であってもよいが、例えば、図５，６に示すような方法を好ましく用いることができる。
【００１８】
図５は、実際に測定された撓み角αの値をクラブヘッドのロフト角に加算される値として表示し、その表示された値に対応してそれぞれのゴルフクラブＡ，Ｂ，Ｃを分類表示するようにしたものである。図５中、＋１．０°とは、インパクト時におけるボールの飛び出す角度がロフト角よりも１°高くなることを示している。他の表示も同様である。
【００１９】
図６は、測定された撓み角αの値をゴルフボールの上がり易さの目安として番号で相対的に表示し、その表示に対応して各ゴルフクラブＡ，Ｂ，Ｃを分類表示するものである。図５で表示した＋１．０°を図６では１、＋１．５°を２、＋２．０°を３、＋２．５°を４、＋３．０°を５、＋３．５°を６と相対表示している。
【００２０】
このように表示することで、ゴルファーに合ったボールの上がり易さを有するゴルフクラブを容易に見つけることができる。
本発明において、上述した実施形態では、クラブシャフト１の先端部１Ａにクラブヘッド６の重心距離ｍとインパクト時の遠心力Ａの積となる曲げモーメントを加えるようにしたが、それに代えて、クラブシャフト１の中心軸Ｏから所定の距離Ｌ離れた位置（重心距離ｍには相当しない）に、重量体３を吊る下げ、この距離Ｌと重量体３の重量の積が、上記ラブヘッド６の重心距離ｍとインパクト時の遠心力Ａの積となるように調整してもよい。
【００２１】
また、撓み角αと曲げモーメントは比例関係にあるため、上述した曲げモーメントを一定の比率で増減し、その時に測定された撓み角から実際の撓み角αを算出することもでき、クラブシャフト１の先端部１Ａに加える曲げモーメントは、必ずしも、装着されるクラブヘッドの重心距離とインパクト時の遠心力との積の値に相当する必要はなく、その値に対応する曲げモーメントであってもよい。
【００２２】
【発明の効果】
上述したように本発明は、グリップが装着されるクラブシャフトの後端部を該クラブシャフトが先端側を下向きにして鉛直方向となるように固定し、前記クラブシャフトの先端部に、該クラブシャフトの中心軸と直交する方向に突設された突起の該中心軸から所定の距離（Ｌ）離れた位置に、重量体を吊り下げて装着されるクラブヘッドの重心距離（ｍ）とインパクト時の遠心力（Ａ）との積（（ｍ）×（Ａ））に対する曲げモーメント（Ａ）を加えることにより、前記クラブシャフトの先端部の撓み角（α）を測定するので、実際のインパクト時に生じるシャフトの曲げモーメントに対応した、ゴルフボールの上がり易さの目安となる本質的な特性としての撓み角を得ることができる。
【図面の簡単な説明】
【図１】本発明のゴルフクラブシャフトの撓み角測定方法において、重量体を取り付けた状態を示す説明図である。
【図２】クラブシャフトに装着されるクラブヘッドの重心距離を示す説明図である。
【図３】本発明のゴルフクラブシャフトの撓み角測定方法において、クラブシャフトが撓った状態を示す説明図である。
【図４】スウィング時のクラブシャフトの軸方向に作用する遠心力（実線）と、軸方向と直交する前進方向に作用する慣性力（点線）を示すクラブ図である。
【図５】本発明のゴルフクラブの表示方法の一例を示す説明図である。
【図６】本発明のゴルフクラブの表示方法の他の例を示す説明図である。
【図７】従来のキックポイントの測定方法の一例を示す説明図である。
【図８】（ａ），（ｂ）は従来のキックポイントの測定方法の他の例を示す説明図である。
【図９】従来のキックポイントの測定方法の更に他の例を示す説明図である。
【符号の説明】
１  クラブシャフト                １Ａ  先端部
１Ｂ  後端部                      ２  測定用治具
２ａ  突起                        ３  重量体
５  固定部                        ６  クラブヘッド
Ａ  遠心力                        Ｇ  ヘッド重心
Ｌ  距離                          Ｏ  中心軸
ｍ  重心距離                      α，θ  撓み角
【図１】
0004072795.tif 000002
【図２】
0004072795.tif 000003
【図３】
0004072795.tif 000004
【図４】
0004072795.tif 000005
【図５】
0004072795.tif 000006
【図６】
0004072795.tif 000007
【図７】
0004072795.tif 000008
【図８】
0004072795.tif 000009
【図９】
0004072795.tif 000010